(57)【要約】【課題】家具等の下部側を支持する際に設置作業を容易に行わせることが可能な下部耐震支持具及びこれを用いた転倒防止器具を提供する。【解決手段】床面３上に載置される家具５の下部側を支持する下部耐震支持具７であって、床面３に貼り付けられる本体部１１と、該本体部１１から延設されると共に少なくとも上面が床面３側に漸次傾斜し尖端部３９が床面３と家具５との間に差し込みによって係合する係合部１３とを備えている。従って、係合部１３の尖端部３９を床面３と家具５との間に差し込み係合して本体部１１を床面３に貼り付けるだけで、家具５を持ち上げることなく容易且つ確実に設置作業を行わせることができる。【選択図】図２
2013059395.tif 000002
【特許請求の範囲】
【請求項１】
床面等の載置面上に載置される家具等の載置物の下部側を支持する下部耐震支持具であって、
前記載置面に取り付けられる本体部と、
該本体部から延設されると共に少なくとも上面が前記載置面側に漸次傾斜又は湾曲し尖端部が前記載置面と前記載置物との間に差し込みによって係合する係合部と、
を備えたことを特徴とする下部耐震支持具。
【請求項２】
請求項１記載の下部耐震支持具であって、
少なくとも前記本体部の上面と前記載置物の表面とに接着する接着テープを備えた、
ことを特徴とする下部耐震支持具。
【請求項３】
請求１又は２記載の下部耐震支持具であって、
前記接着テープは、前記本体部の下面に接着する延長部を一体に備えた、
ことを特徴とする下部耐震支持具。
【請求項４】
請求項３記載の下部耐震支持具であって、
前記延長部は、前記本体部の下面上で前記設置面側へ接着する取付面を備えた、
ことを特徴とする下部耐震支持具。
【請求項５】
請求項１〜４の何れかに記載の下部耐震支持具であって、
前記本体部の上面は、前記係合部の上面に連続して傾斜又は湾曲する、
ことを特徴とする下部耐震支持具。
【請求項６】
請求項１〜５の何れかに記載の下部耐震支持具であって、
前記本体部は、クッション部を介して前記設置面に貼付固定され、前記尖端部の係合によって前記載置面側に移動して前記クッション部を圧縮する、
ことを特徴とする下部耐震支持具。
【請求項７】
請求項１〜６の何れかに記載の下部耐震支持具を用いた転倒防止器具であって、
前記載置物の外面と壁面等の固定面との間に設けられる上部側耐震支持具を備え、
前記上部側耐震支持具により前記載置物の上部側を支持すると共に前記下部側耐震支持具により前記載置物の下部側を支持する、
ことを特徴とする転倒防止器具。
【発明の詳細な説明】
【技術分野】
【０００１】
本発明は、地震による家具の転倒防止等に供される下部耐震支持具及びこれを用いた転倒防止器具に関する。
【背景技術】
【０００２】
従来、家具等の耐震支持具としては、例えば特許文献１のように、固定片及び取付片とこれら固定片及び取付片間のコイル・スプリングとからなり、家具等の上部を支持するものがある。
【０００３】
この上部耐震支持具は、固定片を粘弾性体により壁面等の固定面に貼付固定し、取付片を粘弾性体により家具の天板等の被支持体面に貼付固定するようになっている。地震時等には、振動により家具等に入力される動的荷重を、コイル・スプリング及び粘弾性体で緩衝することができる。
【０００４】
ところが、このような上部耐震支持具のみでは、地震等により家具等に入力される動的負荷により家具が転倒する恐れがあった。
【０００５】
具体的には、地震加速度により家具の重心に働く力と上部耐震支持具に働く反力とにより家具が偶力を受ける。この偶力によるモーメントが、家具と床間との摩擦力による反力を超えると、家具が上部耐震支持具を中心に回転する。
【０００６】
特に、水平方向の加速度と共に上下方向の加速度が働くと、床面と家具面の摩擦力が変動して小さくなる瞬間がある。この場合、比較的小さな水平方向の加速度により家具が上部耐震支持具を中心に容易に回転し、結果として上部耐震支持具が過大な負荷の入力によって脱落し家具等が転倒することになる。
【０００７】
このため、例えば特許文献２のように、家具等の下部側の支持に用いられる下部耐震支持具が提案されている。この下部耐震支持具は、粘弾性材料からなるシート状に形成され、家具等の下側に敷いて支持を行うようになっている。
【０００８】
しかしながら、従来の下部耐震支持具は、家具等の下側に敷いて用いる性質上、設置の際に家具等を持ち上げる必要があり、作業に手間がかかっていた。
【先行技術文献】
【特許文献】
【０００９】
【特許文献１】特開２００８−４８７６５号公報
【特許文献２】特開２０１０−１１６５０８号公報
【発明の概要】
【発明が解決しようとする課題】
【００１０】
解決しようとする問題は、家具等の下部側を支持する際に設置作業に手間がかかっていた点である。
【課題を解決するための手段】
【００１１】
本発明は、家具等の下部側を支持する際に設置作業を容易に行わせるために、床面等の載置面上に載置される家具等の載置物の下部側を支持する下部耐震支持具であって、前記載置面に取り付けられる本体部と、該本体部から延設されると共に少なくとも上面が前記載置面側に漸次傾斜又は湾曲し尖端部が前記載置面と前記載置物との間に差し込みによって係合する係合部とを備えたことを最も主な特徴とする。
【発明の効果】
【００１２】
本発明では、係合部の尖端部を載置面と載置物との間に差し込み係合して本体部を載置面に貼り付けるだけで、載置物を持ち上げることなく容易且つ確実に設置作業を行わせることができる。
【００１３】
また、係合部の上面が載置面側に漸次傾斜又は湾曲して尖端部が形成されているので、差し込み用の尖端部を形成しながら、係合部への乗り上げによる載置物の下部側に対するエネルギー吸収を実現することができる。
【図面の簡単な説明】
【００１４】
【図１】下部耐震支持具を用いた転倒防止器具の取付状態を示す概略図であり、（ａ）は正面図、（ｂ）は側面図である（実施例１）。
【図２】図１の下部耐震支持具の側面図である（実施例１）。
【図３】図２の下部耐震支持具の非取付状態を示す側面図である（実施例１）。
【図４】図２の下部耐震支持具の耐震動作を示す側面図である（実施例１）。
【図５】変形例に係る下部耐震支持具を示す側面図である（実施例１）。
【図６】下部耐震支持具を示す側面図である（実施例２）。
【図７】変形例に係る下部耐震支持具を示す側面図である（実施例２）。
【発明を実施するための形態】
【００１５】
家具等の下部側を支持する際に設置作業を容易に行わせるという目的を、少なくとも上面が床面等の載置面側に漸次傾斜又は湾曲して尖端部が載置面と家具等の載置物との間に差し込みによって係合する係合部を備えることでよって実現した。
【実施例１】
【００１６】
図１は、本発明の実施例１に係る下部耐震支持具を用いた転倒防止器具の取付状態を示す概略図であり、（ａ）は正面図、（ｂ）は側面図、図２は、図１の下部耐震支持具の側面図、図３は、同非取付状態の側面図である。
【００１７】
転倒防止器具１は、図１のように、載置面である床面３上に載置される載置物である家具５を下部側及び上部側で支持するものであり、左右一対の下部耐震支持具７及び上部耐震支持具９を備えている。
[下部耐震支持具]
下部耐震支持具７（以下、単に「下部支持具７」と称する）は、図２及び図３のように、本体部１１と、係合部１３とを備えている。
【００１８】
本体部１１は、例えばＡＢＳやＰＯＭ等の合成樹脂や金属からなっている。この本体部１１は、矩形板状に形成され、その上面１５及び下面１７が床面３に沿う平面からなっている。本体部１１の一端には、上下面１５，１７を連続させる曲面からなる端面１９が形成されている。この本体部１１は、上面１５と家具５の表面２１との間に接着テープ２３が取り付けられている。
【００１９】
接着テープ２３は、例えば帯状の樹脂テープ内に長手方向に沿ったガラス繊維を含有している。接着テープ２３の両面には、粘着材料からなる粘着部２５，２７が形成されている。
【００２０】
この接着テープ２３は、長手方向の一側が載置物側接着部２９を構成し、家具５の表面２１に対して上下に沿って配置接着される。接着テープ２３の中間部は、支持具側接着部３１を構成し、載置物側接着部２９の下端から水平方向に突出して本体部１１の上面１５に接着される。接着テープ２３の他側は、延長部３３を構成し、本体部１１の端面１９に接着して折り返され、本体部１１の下面１７に接着する。本体部１１の下面１７上では、延長部３３にクッション部３５が取り付けられて床面３側への取付面３７が形成されている。
【００２１】
クッション部３５は、例えばウレタン製スポンジ等の弾性体からなる。このクッション部３５は、矩形形状に形成され、長手方向及び幅方向の寸法が本体部１１よりも一回り小さく設定されている。
【００２２】
クッション部３５の一側は、接着テープ２３の延長部３３に対して接着され、他側は、接着材又は粘着材からなる取付面３７を備えて床面３に対する接着が行われる。このクッション部３５は、圧縮により下部支持具７の本体部１１を床面３側に近接移動可能に支持する。
【００２３】
係合部１３は、本体部１１の他端から一体に延設された断面楔形状に形成されている。この係合部１３は、尖端部３９側に向けて全体として床面３側に漸次傾斜し、これに応じて上面４１及び下面４３も床面３側に漸次傾斜した構成となっている。
【００２４】
係合部１３の尖端部３９は、床面３と家具５との間に差し込みによって係合する。この尖端部３９は、図３のように、クッション部３５の非圧縮状態で、その取付面３７に対して上方に位置する。
【００２５】
このため、下部支持具７は、図２のように、尖端部３９の係合により全体として床面３側に移動してクッション部３５を圧縮するようになっている。これにより、クッション部３５にプリ・ロードが付与され、取付面３７の床面３に対する接着力を強化することができる。
【００２６】
設置に際しては、係合部１３の尖端部３９を床面３と家具５との間に差し込み係合させると共にクッション部３５の取付面３７を床面３に押し付ける。この状態で、接着テープ２３の載置物側接着部２９を家具５の表面２１に対して接着する。このとき、接着テープ２３の支持具側接着部３１は、予め本体部１１の上面１５に接着させておけばよい。
【００２７】
こうして、下部支持具７は、家具５を持ち上げる等することなく、係合部１３の尖端部３９の差し込み係合によって容易に設置を行わせることができる。
【００２８】
[上部耐震支持具]
上部耐震支持具（以下、単に「上部支持具」と称する）９は、図１のように、固定側部材４５及び載置物側部材４７と、連結部材４９とからなっている。
【００２９】
固定側部材４５及び載置物側部材４７は、例えば同一のアルミ合金等の押出材又は引抜材からなり、それぞれ矩形板状に形成されている。これらの固定側部材４５及び載置物側部材４７は、固定面としての壁面５１及び被支持面としての家具５の上面５３に取り付けられている。
【００３０】
具体的には、固定側部材４５は、その背面側のクッション部５５を介して壁面５１に接着され、載置物側部材４７は、接着材によって家具５の上面に直接接着される。
【００３１】
連結部材４９は、例えば固定側部材４５及び載置物側部材４７と同様にアルミ合金等の押出材又は引抜材からなっている。この連結部材４９は、固定側部材４５及び載置物側部材４７に対して壁面５１の横方向移動によって各別にスライド係合している。
【００３２】
スライド係合は、例えば固定側部材４５及び載置物側部材４７に横方向に沿った係合溝を設け、連結部材４９に係合溝にスライド係合する係合突起を設けることで行われる。なお、係合溝を連結部材４９に設け、係合突起を固定側部材４５及び載置物側部材４７に設けてもよい。
【００３３】
設置に際しては、予め固定側部材４５及び載置物側部材４７を壁面５１及び家具５の上面５３に各別に取り付けておく。この状態で、連結部材４９を固定側部材４５及び載置物側部材４７間に配置するように横方向移動させる。
【００３４】
こうして、上部支持具９の設置を行わせることができる。
【００３５】
なお、上部支持具は、これに限定されるものではなく、周知の上部支持具を適用することができる。
[転倒防止器具の転倒防止]
図４は、図２の下部耐震支持具の耐震動作を示す側面図である。
【００３６】
図１の転倒防止器具１では、地震時の振動等によって家具５に入力される動的荷重を、家具５の上部側において上部支持具９のクッション部５５により緩衝することができる。家具５の下部側においては、床面３と家具５との間の摩擦力によって地震加速度に対抗することができる。
【００３７】
一方、地震加速度が床面３と家具５との間の摩擦力よりも大きくなった場合は、家具５の下部が滑り出して上部側を支点として回転することになる。このとき、本実施例の転倒防止器具１では、下部支持具７によって回転に対抗することができる。
【００３８】
具体的には、図４（ａ）のように、滑り出した家具５の下部が下部支持具７の係合部１３の上面４１に乗り上げる。このとき、下部支持具７では、係合部１３の上面４１が乗り上げ方向の前方側に向けて漸次上方（床面３に対して離反するように）に傾斜しているので、乗り上げによるエネルギー吸収を行わせることができる。
【００３９】
同時に、下部支持具７では、家具５下部の乗り上げ移動に応じて、接着テープ２３の支持具側接着部３１が下部支持具７の本体部１１から剥離される。この剥離によっても、エネルギー吸収を行わせることができる。
【００４０】
その後、家具５が本体部１１上に乗り上げても、接着テープ２３の剥離によるエネルギー吸収を行うことができる。
【００４１】
また、本実施例の下部支持具７では、図４（ｂ）のように、接着テープ２３が完全に剥離しても接着テープ２３の引張力により家具５の下部の移動を規制することができる。
[実施例１の効果]
本実施例の下部支持具７は、床面３上に載置される家具５の下部側を支持する下部耐震支持具７であって、床面３に貼り付けられる本体部１１と、該本体部１１から延設されると共に少なくとも上面が床面３側に漸次傾斜し尖端部３９が床面３と家具５との間に差し込みによって係合する係合部１３とを備えている。
【００４２】
このため、下部支持具７では、係合部１３の尖端部３９を床面３と家具５との間に差し込み係合して本体部１１を床面３に貼り付けるだけで、家具５を持ち上げることなく容易且つ確実に設置作業を行わせることができる。
【００４３】
また、下部支持具７では、係合部１３の上面４１が床面３側に漸次傾斜して尖端部３９が形成されているので、差し込み用の尖端部３９を形成しながら、係合部１３への乗り上げによる家具５の下部側に対するエネルギー吸収を実現することができる。
【００４４】
従って、本実施例の下部支持具７では、設置作業を容易に行わせることができながら、家具５の下部側の支持も確実に行わせることができる。
【００４５】
また、下部支持具７では、少なくとも本体部１１の上面１５と家具５の表面２１とに接着する接着テープ２３を備えているので、家具５の下部の移動時に接着テープ２３が本体部１１の上面１５から剥離されることでエネルギー吸収を行わせることができる。
【００４６】
このため、下部支持具７では、より確実に家具５の下部側の支持を行うことができる。
【００４７】
本実施例においては、接着テープ２３が本体部１１の下面１７に接着する延長部３３を一体に備えている。このため、本実施例では、接着テープ２３が本体部１１の上面１５から完全に剥離されても、接着テープ２３が本体部１１の下面１７と家具５の表面２１とを接着し、接着テープ２３の引張力によって家具５の下部側の移動を規制することができる。
【００４８】
また、延長部３３は、本体部１１の下面１７上で床面３側へ接着する取付面３７を備えている。このため、本実施例では、エネルギー吸収用の接着テープ２３を利用して、床面３側への接着をも行わせることができる。
【００４９】
本実施例の下部支持具７では、本体部１１がクッション部３５を介して床面３に貼付固定され、係合部１３の尖端部３９の係合によって床面３側に移動してクッション部３５を圧縮するので、クッション部３５にプリ・ロードが付与され、床面３に対する貼付力を強化することができる。この結果、下部支持具７では、より確実に家具５の下部側の支持を行うことができる。
【００５０】
本実施例の転倒防止器具１は、下部支持具７に加えて、家具５の上面５３と壁面５１との間に設けられる上部支持具９を備え、上部支持具９により家具５の上部側を支持すると共に下部支持具７により家具５の下部側を支持する。
【００５１】
このため、本実施例の転倒防止器具１では、下部支持具７によって上記のように家具５の下部側の支持を確実に行わせて上部支持具９に過大な負荷がかかることを抑制することができる。この結果、転倒防止器具１では、家具５の上下を確実に支持して転倒を防止することができる。
［変形例］
図５は、本発明の実施例１の変形例に係る下部耐震支持具を示す側面図である。
【００５２】
変形例に係る下部支持具７は、図５のように、本体部１１の一端側上面に突出部５７を設けたものである。突出部５７は、その表面が突曲面状に形成されて端面１９に連続する。
【００５３】
この変形例では、本体部１１上に乗り上げた家具５を突出部５７に当接させて、その移動を規制することができ、より確実に家具５の下部側の支持を行うことができる。
【００５４】
また、本変形例では、突出部５７の外面により接着テープ２３の接着部分が拡大され、その分、剥離によるエネルギー吸収量を向上することができる。
【実施例２】
【００５５】
図６は、本発明の実施例２に係る下部耐震支持具を示す側面図である。なお、本実施例では、上記実施例１と基本構成が共通するため、対応する部分に同符号又は同符号にＡを付加した符号を用いて重複した説明を省略する。
【００５６】
本実施例の下部支持具７Ａは、図６のように、本体部１１Ａの上面１５Ａを傾斜させたものである。この本体部１１Ａの上面１５Ａは、係合部１３Ａの上面４１Ａと同一の傾斜角度を有して連続した傾斜面を形成している。
【００５７】
本実施例では、この連続する本体部１１Ａの上面１５Ａから係合部１３Ａの上面４１Ａにかけて接着テープ２３Ａの支持具側接着部３１Ａが接着されている。また、本体部１１Ａの上面１５Ａの傾斜により、端面１９Ａが上下方向に沿って拡大された平面となっている。
【００５８】
このような本実施例では、上記実施例１と同様の作用効果を奏することができる。
【００５９】
加えて、本実施例では、下部支持具７Ａの本体部１１Ａの上面１５Ａが係合部１３Ａの上面４１Ａと同様に傾斜しているので、本体部１１Ａ上でも乗り上げによるエネルギー吸収を行わせることができ、より確実に家具５の下部側の支持を行うことができる。
【００６０】
また、本実施例では、接着テープ２３Ａの接着部分を拡大することができるので、その剥離によるエネルギー吸収量を向上させることができ、より確実に家具５の下部側の支持を行うことができる。
【００６１】
また、本実施例では、本体部１１Ａの端面１９Ａによっても接着テープ２３Ａの接着部分が拡大されており、その剥離によるエネルギー吸収量を向上させることができる。
［変形例］
図７は、本発明の実施例２の変形例に係る下部耐震支持具を示す側面図である。
【００６２】
本変形例では、下部支持具７Ａの本体部１１Ａの上面１５Ａ及び係合部１３Ａの上面４１Ａを連続した湾曲形状としたものである。従って、本体部１１Ａの上面１５Ａ及び係合部１３Ａの上面４１Ａは、尖端部３９Ａ側に向けて床面３側に漸次湾曲した形状となっている。
【００６３】
従って、本変形例においても、上記実施例２と同様の作用効果を奏することができる。
【００６４】
また、本体部１１Ａの上面１５Ａ及び係合部１３Ａの上面４１Ａが湾曲形状であるため、エネルギー吸収量を向上して、より確実に家具５の下部側の支持を行うことができる。
［その他］
以上、本発明の実施例について説明したが、本発明はこれに限定されるものではなく、各種の設計変更が可能である。
【００６５】
例えば、上記実施例では、接着テープ２３，２３Ａを備えていたが、これを省略してもよい。
【００６６】
また、上記実施例では、下部耐震支持具７，７Ａの本体部１１，１１Ａの下面側にクッション部３５を設けていたが、クッション部３５を省略することも可能である。この場合、本体部１１，１１Ａの下面側に位置する接着テープ２３の粘着部２７を取付面とすればよい。
【００６７】
また、下部耐震支持具７，７Ａは、上部耐震支持具９と共に用いた転倒防止器具１として説明したが、単独で用いることも可能である。
【符号の説明】
【００６８】
１  転倒防止器具
３  床面（載置面）
５  家具（載置物）
７  下部側耐震支持具
９  上部側耐震支持具
１１  本体部
１３  係合部
１５  上面（本体部）
２１  表面（外面）
２３  粘着テープ
３３  延長部
３５  クッション部
３７  取付面
３９  尖端部
４１  上面（尖端部）
【図１】
2013059395.tif 000003
【図２】
2013059395.tif 000004
【図３】
2013059395.tif 000005
【図４】
2013059395.tif 000006
【図５】
2013059395.tif 000007
【図６】
2013059395.tif 000008
【図７】
2013059395.tif 000009